(57)【要約】【課題】安い費用でどこにでも設置でき、子供のような弱者でも簡単に操作できる緊急報知手段を提供すること。【解決手段】看板枠体１１と、この看板枠体１１に気密的に取り付けられて空気が収納されたとき膨張する弾性膜１２と、この弾性膜１２の一部に設けられて前記空気を注入するための注入口１３と、この注入口１３を閉じる栓体１４とを備えた緊急報知看板１０であって、注入口１３に前記空気が抜けるときに音を発生させる笛体を設けたこと。【選択図】図１
2006343789.tif 000002
【特許請求の範囲】
【請求項１】
電柱やガードレール等の構造物に対して取り付けられる看板枠体と、この看板枠体に気密的に取り付けられて空気が収納されたとき膨張する弾性膜と、この弾性膜の一部に設けられて前記空気を注入するための注入口と、この注入口を閉じる栓体とを備えた緊急報知看板であって、
前記注入口に前記空気が抜けるときに音を発生させる笛体を設けたことを特徴とする緊急報知看板。
【請求項２】
電柱やガードレール等の構造物に対して取り付けられる看板枠体と、この看板枠体内に収納空間を形成する表面板と、この表面板内に収納されて口元に空気の注入口を兼ねた笛体を有するゴム風船と、前記表面板に形成されて前記ゴム風船の注入口が露出される取付穴と、前記注入口を閉じて前記取付穴から露出される栓体とを備えたことを特徴とする緊急報知看板。
【請求項３】
前記栓体自体も笛とすることにより、この栓体を緊急時の警笛を鳴らすものとして持ち運べるようにしたことを特徴とする請求項１または請求項２に記載の緊急報知看板。
【請求項４】
前記看板枠体に表示部を形成したことを特徴とする請求項１〜請求項３のいずれかに記載の緊急報知看板。
【発明の詳細な説明】
【技術分野】
【０００１】
本発明は、緊急報知看板、つまり交通事故や誘拐のような緊急事態に遭遇した子供や弱者が、その事故或いは事件現場の直ぐ近くで、その緊急事態発生を他の人達に簡単に報知することができるようにした看板に関するものである。
【背景技術】
【０００２】
近年、子供や老人等の所謂「弱者」が交通事故や「引ったくり」に遭遇したり、幼児が誘拐される等の心の痛む事故・事件が多発するようになってきている。そのような事件・事故の現場に第三者が居れば、事は大きくならないで済むことが多いが、誰も現場にいないときには、大事に至ることがある。
【０００３】
そのような事件や事故の現場に第三者がいない場合を想定して、弱者は、自己防衛のために、事件遭遇者が緊急時を知らせる「ブザー」や加害者撃退のための「スプレー」、あるいは携帯電話を持ち歩く必要があり、そのような場合の改善策が、例えば、特許文献１あるいは特許文献２において提案されている。
【特許文献１】特開２００２−０５６４８２号公報、要約、代表図
【特許文献２】特開２００１−２５０１７４号公報、要約、代表図
【発明の開示】
【発明が解決しようとする課題】
【０００４】
特許文献１には、「幼児行動・老人徘徊、学童・婦女子の行動などの安全対策・防犯を目的とした、緊急時に操作が容易で、携帯者が周囲の人に知させることができると共に外局から警報を作動させることができる光・音・電波を発信する機能をもつ警報付電話を提供する」ことを目的としてなされた「地域救援対策システム」が提案されている。
【０００５】
この特許文献１において提案されている「地域救援対策システム」は、図５及び図６に示すように、「一般に使用されている電話システムにおいて、携帯する電話機本体にブザーなどの発音装置、レーザーなどの発光器及び電波発信機能を付加すると共に、緊急用押しボタンを設け予め登録された電話番号に接続させることができ、また予め設定された時間又は予め設定された起点からの距離を超したとき又は市内電話回線・携帯電話回線を介し外局から強制的に音・光・電波を作動させることができ、かつ、コンピュータのなどの機器と接続でき、警報作動後これを止め、そのまま通常通話ができる機能を携帯する電話機に装備する構成からなる」といった構成を有したものである。
【０００６】
しかしながら、この特許文献１の「地域救援対策システム」では、そのような機構を持った電話機を携帯しなければならないし、「外局から警報を作動させる」ために電話回線の改定を進めなければならず、費用も多く掛かるものとなると思われる。
【０００７】
この点、特許文献２の「ぬいぐるみ型防犯ブザーカバー」は、図７及び図８に示すように、「市販の防犯ブザーに、ぬいぐるみ型防犯ブザーカバーをかぶせることにより、女性、児童等が、常にぬいぐるみと一体化した防犯ブザーを携帯したいという気持ちを起こさせ、その触感の良さから、人気の無い危険な地域等では快適な触感のまま長時間手に持つことを可能とする。これにより、仮に犯罪や危険に遭遇しても、瞬時に下部スイッチを操作することでブザー音を発生させることにより、暴漢、痴漢などから身を守ることが可能となる」ものであると考えられる。
【０００８】
しかしながら、この特許文献２の「ぬいぐるみ型防犯ブザーカバー」は、防犯ブザーを全ての者が持っていることを前提としており、狭い地域の自治会が限られた予算の範囲で行うには少し無理があるのではないかと考えられる。
【０００９】
ここで、緊急時として子供が誘拐されそうになった場合を考えてみると、そのような事件は人目の少ない場所で発生すると考えられる。また、このような場所は、通学路ではなくて、どこかへ遊びに出かけるための通学路ではない道であることが多い。従って、誘拐されそうになった子供は、防犯ブザーが取り付けられているランドセルを家においてきていることが考えられるのである。
【００１０】
そうなると、誘拐されそうになった子供は、まず、「子供１１０番の家」や知った大人を探すことになるが、そのような家や大人がいないとすると、大声を上げなければならない。しかしながら、恐怖におびえる子供にとって大声を上げることは不可能に近いと考えられる。
【００１１】
そこで、本発明者等は、安い費用でどこにでも設置でき、子供のような弱者でも簡単に操作できる緊急報知装置とするにはどうしたらよいか、について種々検討を重ねてきた結果、本発明を完成したのである。
【００１２】
すなわち、本発明の目的とするところは、安い費用でどこにでも設置でき、子供のような弱者でも簡単に操作できる緊急報知手段を提供することにある。
【課題を解決するための手段】
【００１３】
以上の課題を解決するために、まず、請求項１に係る発明の採った手段は、後述する最良の形態の説明中において使用する符号を付して説明すると、
「電柱やガードレール等の構造物２０に対して取り付けられる看板枠体１１と、この看板枠体１１に気密的に取り付けられて空気が収納されたとき膨張する弾性膜１２と、この弾性膜１２の一部に設けられて前記空気を注入するための注入口１３と、この注入口１３を閉じる栓体１４とを備えた緊急報知看板１０であって、
注入口１３に前記空気が抜けるときに音を発生させる笛体１５を設けたことを特徴とする緊急報知看板１０」
である。
【００１４】
すなわち、この請求項１に係る緊急報知看板１０は、図１〜図３に示すように、その看板枠体１１に気密的に一体化した弾性膜１２内に注入口１３から空気を強制的に注入して、図１及び図２に示すように、この弾性膜１２を膨張させるようにしたものである。そして、この弾性膜１２への注入口１３には、図３に示すように、これから空気が抜けるとき音を発生する笛体１５が設けてあるのであり、通常時は、この注入口１３は栓体１４によって空気が抜けないように閉じられている。
【００１５】
なお、弾性膜１２には、図１に示すような目立つ装飾や表示をしておくと有利である。何故なら、この緊急報知看板１０は、緊急時を報知するものであるから、その存在を常にアピールするものであるとよいからである。
【００１６】
以上のように構成された当該緊急報知看板１０は、それ自体非常に簡単な構成のものであって、安価に提供できるだけでなく、その看板枠体１１を使用すれば、図１に示すように、電柱、ガードレール、立木、塀等の構造物２０に簡単に取り付けられるものとなっているのである。このため、この緊急報知看板１０は、限られた予算の範囲内であっても、必要十分な数のものを、弱者安全のために設置することができるものとなっている。
【００１７】
さて、誘拐されそうになった子供や引ったくりにあった老人等の弱者は、助けを求めて第三者や人家を探すことになると思われるが、目の前にこの緊急報知看板１０が目立つ状態で設置してあったとすると、この緊急報知看板１０をまず利用することになる。つまり、当該緊急報知看板１０は、日頃から目にしていてその利用法も理解しているから、当該緊急報知看板１０の栓体１４を引き抜くのである。
【００１８】
当該緊急報知看板１０の弾性膜１２内には空気が充填してあったから、栓体１４が引き抜かれたことによって、注入口１３から空気が急激に抜け出ることになる。この注入口１３には笛体１５が設けてあったから、注入口１３から急激に出た空気によって、当該笛体１５が音を発生させ、これによって緊急事態が発生したことを知らせることになるのである。そこで、この音を聞きつけた第三者は、助けに駆けつけるか、警察に通報することになり、事件や事故に遭遇した子供や老人を早期に救助することになるのである。
【００１９】
なお、何も起こっていないのに、いたずらによって栓体１４が引き抜かれることもあり得ることは当然想定できる。しかしながら、栓体１４を引き抜けば笛体１５から大きな音が発生するのであるから、いたずらをした者は、抜いた栓体１４を元の位置に直ちに戻すと考えられ、それ程の問題は発生しないと考えられる。
【００２０】
また、当該緊急報知看板１０は、長期間設置した状態にしておくと、弾性膜１２内の空気が自然に抜け出ることが考えられるが、弾性膜１２内に必要量の空気が入っていないことは、弾性膜１２の膨張程度で直ちに発見できる。つまり、当該緊急報知看板１０の弾性膜１２が萎んだ状態になっていることは、弾性膜１２内に空気の追加を行わなければならないことを知らせていることになるのである。
【００２１】
弾性膜１２が萎んだ状態になっていると、管理者は注入口１３から笛体１５を抜いて、例えば自転車の空気入れのような簡単でどの家庭でもあると思われる道具を使用して、弾性膜１２内に空気を注入するのである。その意味では、注入口１３としては、自転車タイヤの空気注入口と同様な構造のものを採用するとよいことになる。
【００２２】
従って、この請求項１に係る緊急報知看板１０は、安い費用でどこにでも設置でき、子供のような弱者でも簡単に操作でき、緊急時の周囲に対する報知を確実に行えるものとなっているのである。
【００２３】
上記課題を解決するために、請求項２に係る発明の採った手段は、
「電柱やガードレール等の構造物２０に対して取り付けられる看板枠体１１と、この看板枠体１１内に収納空間収納空間Ｒを形成する表面板１６と、この表面板１６内に収納されて口元に空気の注入口１５ａを兼ねた笛体１５を有するゴム風船１７と、表面板１６に形成されてゴム風船１７の注入口１５ａが露出される取付穴１６ａと、注入口１５ａを閉じて取付穴１６ａから露出される栓体１４とを備えたことを特徴とする緊急報知看板１０」
である。
【００２４】
すなわち、この請求項２に係る緊急報知看板１０は、笛体１５に空気を送るものがゴム風船１７であって、このゴム風船１７を看板枠体１１に取り付けた表面板１６内に収めたものであるが、その他の部分は上記請求項１の緊急報知看板１０とほぼ同様なものである。
【００２５】
つまり、この請求項２に係る緊急報知看板１０は、図４に示すように、看板枠体１１の一部に表面板１６を取り付けてその内側を収納空間Ｒとしたものであり、この収納空間Ｒ内にゴム風船１７を配置したものである。
【００２６】
勿論、このゴム風船１７の注入口１５ａにも上述した笛体１５が設けてあり、この注入口１５ａから空気が抜け出るときに笛体１５が音を発生させることは、上述した請求項１の緊急報知看板１０と同様である。このゴム風船１７の注入口１５ａは、通常時には栓体１４によって閉塞されていることも、上記請求項１の緊急報知看板１０と同様である。
【００２７】
事件や事故に遭遇した人が、この目立つものでもある緊急報知看板１０の栓体１４を引き抜くと、ゴム風船１７の収縮する弾性力によって中の空気が笛体１５を通して注入口１５ａから排出されることになり、笛体１５は緊急時を知らせる音を発生するのであることは、上記請求項１の緊急報知看板１０と同様である。また、ゴム風船１７が萎んだ状態にあれば、管理者が注入口１５ａから空気を注入しなければならないことを容易に知ることができるものである。
【００２８】
従って、この請求項２に係る緊急報知看板１０も、安い費用でどこにでも設置でき、子供のような弱者でも簡単に操作でき、緊急時の周囲に対する報知を確実に行えるものとなっているのである。
【００２９】
また、上記課題を解決するために、請求項３に係る発明の採った手段は、上記請求項１または請求項２に記載の緊急報知看板１０について、
「栓体１４自体も笛とすることにより、この栓体１４を緊急時の警笛を鳴らすものとして持ち運べるようにしたこと」
である。
【００３０】
すなわち、この請求項３の緊急報知看板１０は、上記請求項１または請求項２の緊急報知看板１０の栓体１４自体をも、そのまま持ち運べる笛としたものである。
【００３１】
栓体１４が笛であれば、事件や事故にあった弱者がこれを吹いて音を出すことにより、第三者や電話を探す間にも、周囲に緊急事態発生の知らせをすることができるのである。勿論、その時には、緊急報知看板１０側の笛体１５自体も音を発生させているから、二重の緊急報知が行われていることになるのである。
【００３２】
従って、この請求項３の緊急報知看板１０は、上記請求項１または請求項２のそれと同様な機能を発揮する他、緊急時の報知を、笛を兼ねた栓体１４によっても行うことができるものとなっているのである。
【００３３】
さらに、上記課題を解決するために、請求項４に係る発明の採った手段は、上記請求項１〜請求項３のいずれかに記載の緊急報知看板１０について、
「看板枠体１１に表示部１８を形成したこと」
である。
【００３４】
すなわち、この請求項４の緊急報知看板１０は、上記請求項１〜請求項３のいずれかの緊急報知看板１０について、図１に示すように、その看板枠体１１に表示部１８を形成したものである。
【００３５】
表示部１８に表示されるものとしては、図１に示すような標語であってもよいし、当該緊急報知看板１０の説明であってもよいが、この表示部１８は、要するに、「看板」としてのさらなる機能を発揮させるものである。
【００３６】
この緊急報知看板１０が、「緊急報知」という本来の機能の他に、表示部１８を有していることによって、当該緊急報知看板１０の設置のための資金提供者の募集を行い易くすることになる。つまり、この表示部１８にスポンサー名を入れることを条件に、当該緊急報知看板１０の設置協力が得られ易くなるのである。
【００３７】
従って、この請求項４に係る緊急報知看板１０は、上記請求項１〜３のそれと同様な機能を発揮することができる他、種々な表示を簡単に付加することができるのである。
【発明の効果】
【００３８】
以上、説明した通り、請求項１に係る発明にあっては、
「電柱やガードレール等の構造物２０に対して取り付けられる看板枠体１１と、この看板枠体１１に気密的に取り付けられて空気が収納されたとき膨張する弾性膜１２と、この弾性膜１２の一部に設けられて前記空気を注入するための注入口１３と、この注入口１３を閉じる栓体１４とを備えた緊急報知看板１０であって、
注入口１３に前記空気が抜けるときに音を発生させる笛体１５を設けたこと」
にその特徴があり、また、請求項２に係る発明においては、
「電柱やガードレール等の構造物２０に対して取り付けられる看板枠体１１と、この看板枠体１１内に収納空間収納空間Ｒを形成する表面板１６と、この表面板１６内に収納されて口元に空気の注入口１５ａを兼ねた笛体１５を有するゴム風船１７と、表面板１６に形成されてゴム風船１７の注入口１５ａが露出される取付穴１６ａと、注入口１５ａを閉じて取付穴１６ａから露出される栓体１４とを備えたこと」
にその構成上の特徴があり、これにより、安い費用でどこにでも設置でき、子供のような弱者でも簡単に操作でき、緊急時の周囲に対する報知を確実に行える緊急報知看板１０を提供することができるのである。
【００３９】
そして、この緊急報知看板１０にあっては、その栓体１４自体を笛にすれば、二重の緊急報知が行え、表示部１８を設ければ、種々な表示が行えるという発展性を備えたものとなっているのである。
【発明を実施するための最良の形態】
【００４０】
次に、上記のように構成した各請求項に係る発明を、図面に示した最良の形態である緊急報知看板１０について説明するが、この緊急報知看板１０としては、請求項１に関連する実施例１と、請求項２に関連する実施例２との二種類があるので、以下では、各実施例毎に説明していくこととする。この場合、共通する部材については図面中に同一符号を付してその説明を省略することがある。
【実施例１】
【００４１】
図１〜図３には、本発明の実施例１に係る緊急報知看板１０が示してあり、この緊急報知看板１０は、図１及び図２に示したように、当該緊急報知看板１０の外形を形成することになる看板枠体１１を有しているものである。この看板枠体１１としては、板材や合成樹脂板を採用して形成してもよいが、本実施例にあっては、風雨から守るために、アルミニウム板材を使用して形成したものである。
【００４２】
本実施例にあっては、看板枠体１１の上部を表示部１８として、この表示部１８に標語の表示や当該緊急報知看板１０の使用説明、あるいはスポンサー名が表示できるようにしてある。なお、この表示部１８については、図２中の仮想線にて示したように、上部に開閉蓋１８ａを設けておき、内部の標示物の交換が自由に行えるようにしてある。そして、この看板枠体１１の下部に、本発明の要旨構成部材である弾性膜１２を取り付けたものである。
【００４３】
この弾性膜１２は、空気の圧力によって膨張し得るような薄いゴム膜によって形成したものであり、本実施例の場合、その中央部分に注入口１３が設けてあり、その周囲を固定枠１１ａを利用して看板枠体１１に対して気密的に取り付けるようにしたものである。つまり、この弾性膜１２の内側には注入口１３から空気が注入されるのであり、この空気を注入口１３から注入することによって、この弾性膜１２は、図２に示した状態で膨張するのである。
【００４４】
注入口１３には、図３にて示したように、空気の流れによって音がでる笛体１５が設けてある。この笛体１５は、注入口１３から空気を看板枠体１１内に注入するときには音を出さないが、看板枠体１１内の空気が看板枠体１１の外に出るときは、音を発生させるものである。そして、この注入口１３の先端は、図２及び図３に示したように、栓体１４によって塞がれることになるものである。
【００４５】
本実施例にあっては、この栓体１４自体にも「笛」の機能が持たせてある。つまり、この栓体１４は、注入口１３から引き抜いてこれを笛としながら持ち運べるものであり、この栓体１４によっても緊急事態の報知が行えるのである。
【００４６】
勿論、この緊急報知看板１０は、その看板枠体１１によって、図１に示したように、電柱やガードレール等の構造物２０に対して簡単に取り付けられるものとしてある。
【実施例２】
【００４７】
図４には、実施例２に係る緊急報知看板１０の縦断面図が示してあるが、この緊急報知看板１０では、弾性膜１２は使用しないで、その代わりであるゴム風船１７が表面板１６の内側に形成した収納空間Ｒ内に収納してある。つまり、この緊急報知看板１０では、看板枠体１１の下部に表面板１６を設けることによってその内側に収納空間Ｒを形成したものであり、この収納空間Ｒ内にゴム風船１７を収納したものである。
【００４８】
ゴム風船１７は、これに空気を入れたとき膨張し、その空気を抜いた時には収縮するものであるが、その口元には注入口１５ａが形成してあり、この注入口１５ａに笛体１５を設けるようにしたものである。また、このゴム風船１７の注入口１５ａは、表面板１６に形成してある取付穴１６ａに取り付けられるものであり、この注入口１５ａを通してゴム風船１７内に外部の空気の注入が行えるようにしてある。
【００４９】
そして、このゴム風船１７の注入口１５ａの、表面板１６の外方に突出した部分は、栓体１４によって閉塞できるよにしてある。勿論、この栓体１４は、上記実施例１の場合と同様に、それ自体が「笛」の機能お備えたものである。
【図面の簡単な説明】
【００５０】
【図１】本発明の実施例１に係る緊急報知看板の正面図である。
【図２】同緊急報知看板の縦断面図である。
【図３】同緊急報知看板の注入口を中心にしてみた部分拡大縦断面図である。
【図４】本発明の実施例２に係る緊急報知看板の縦断面図である。
【図５】従来技術を示す概略構成図である。
【図６】図５で使用される電話機本体の正面図である。
【図７】他の従来技術を示す正面図である。
【図８】同縦断面図である。
【符号の説明】
【００５１】
１０    緊急報知看板
１１    看板枠体
１２    弾性膜
１３    注入口
１４    栓体
１５    笛体
１５ａ  注入口
１６    表面板
１６ａ  取付穴
１７    ゴム風船
１８    表示部
２０    構造物
Ｒ    収納空間
【図１】
2006343789.tif 000003
【図２】
2006343789.tif 000004
【図３】
2006343789.tif 000005
【図４】
2006343789.tif 000006
【図５】
2006343789.tif 000007
【図６】
2006343789.tif 000008
【図７】
2006343789.tif 000009
【図８】
2006343789.tif 000010